(57)【要約】【課題】  複数の装置を通信制御する記憶装置、該記憶装置が装着される情報処理装置および該記憶装置と無線通信可能な外部記憶装置を提供する。【解決手段】  例えば、ストレージ装置３に設けれる操作部３０６を所定の操作することで、メモリカード２とストレージ装置３との間の無線通信が切断した場合、接続切断検知部２０６は接続切断検知部１１４ａにコンピュータ１とメモリカード２との通信が切断された旨を通知する。一方、ストレージ装置３に設けれる操作部３０６を所定の操作することで、メモリカード２とストレージ装置３との間の無線通信が接続された場合、接続切断検知部２０６は接続切断検知部１１４ａにコンピュータ１とメモリカード２との通信が接続された旨を通知する。【選択図】  図２
2005293284.tif 000002
【特許請求の範囲】
【請求項１】
情報処理装置に着脱可能に装着されるとともに、前記情報処理装置に直接接続されていない外部記憶装置と無線通信可能な記憶装置において、
前記外部記憶装置と無線通信を行う無線部と、
前記情報処理装置と通信を行う通信部と、
前記無線部を用いて行われる無線通信の接続切断状態を検知する検知部と、
前記通信部は、
前記検知部が前記外部記憶装置との無線通信の切断状態を検知した場合、前記情報処理装置と前記通信部との通信が切断されたことを前記情報処理装置に通知する手段と
を具備することを特徴とする記憶装置。
【請求項２】
前記検知部が前記外部記憶装置との無線通信の切断状態を検知した場合、前記無線部、前記通信部及び前記検知部に電源を供給する電源部とをさらに具備することを特徴とする記憶装置。
【請求項３】
前記電源部は、
前記検知部が前記外部記憶装置との無線通信の接続状態を検知し、前記通信部と前記情報処理装置との通信が接続され、前記情報処理装置から本記憶装置へ電源が供給された場合、前記無線部、前記通信部および前記検知部への電源供給を停止する手段と、
を具備することを特徴とする請求項１記載の記憶装置。
【請求項４】
前記通信部は、
前記検知部が前記外部記憶装置との無線通信の接続状態を検知した場合、前記情報処理装置と前記通信部との通信が接続されたことを前記情報処理装置に通知する手段を具備することを特徴とする請求項１記載の記憶装置。
【請求項５】
記憶部をさらに有し、
前記情報処理装置から送信されるデータは、前記記憶部または前記外部記憶装置の有する記憶部に送信されることを特徴とする請求項１記載の記憶装置。
【請求項６】
記憶部をさらに有し、
前記記憶部に記憶されているデータは前記情報処理装置に送信されることを特徴とする請求項１記載の記憶装置。
【請求項７】
情報処理装置に着脱可能に装着される記憶装置と無線通信可能な外部記憶装置において、
前記記憶装置と無線通信を行う無線部と、
前記無線部を用いて行われる無線通信の接続切断状態を検知する検知部と、
前記検知部は、
前記記憶装置との無線通信の切断状態を検知した場合、前記記憶装置に無線通信切断情報を通知し、前記記憶装置との無線通信の接続状態を検知した場合、前記記憶装置に無線通信接続情報を通知する手段とを具備することを特徴とする外部記憶装置。
【請求項８】
操作部と、
前記操作部を操作することによって、前記無線部を用いて行われる無線通信の切断・接続を行う手段とをさらに有することを特徴とする請求項７記載の外部記憶装置。
【請求項９】
表示部と、
前記検知部によって検知される無線通信状況を前記表示部に表示させる手段とをさらに有することを特徴とする請求項７記載の外部記憶装置。
【請求項１０】
外部記憶装置と無線通信可能である記憶装置が着脱可能に装着される情報処理装置において、
前記記憶装置は、
前記外部記憶装置と無線通信を行う無線部と、
本情報処理装置と通信を行う通信部と、
前記無線部を用いて行われる無線通信の接続切断状態を検知する検知部と、
前記通信部は、前記検知部が前記外部記憶装置との無線通信の切断状態を検知した場合、本情報処理装置と前記通信部との通信が切断されたことを前記情報処理装置に通知する手段とを具備し、
前記記憶装置への電源供給可能な電源部と、
を具備することを特徴とする情報処理装置。
【請求項１１】
前記電源部は、
前記検知部が前記外部記憶装置との無線通信の切断状態を検知した場合、前記通信部によって本情報処理装置に通知される、本情報処理装置と前記通信部との通信切断情報に基いて、前記記憶装置への電源供給を停止することを特徴とする請求項１０記載の情報処理装置。
【請求項１２】
表示部と、
前記検知部が前記外部記憶装置との無線通信の切断状態を検知した場合、前記通信部によって本情報処理装置に通知される、本情報処理装置と前記通信部との通信切断情報に基いて、本情報処理装置と前記記憶装置との通信が切断されたことを前記表示部に表示する表示手段とをさらに有することを特徴とする請求項１０記載の情報処理装置。
【請求項１３】
前記電源部は、
前記検知部が前記外部記憶装置との無線通信の接続状態を検知した場合、前記通信部によって本情報処理装置に通知される、本情報処理装置と前記通信部との通信接続情報に基いて、前記記憶装置への電源供給を開始することを特徴とする請求項１０記載の情報処理装置。
【請求項１４】
表示部と、
前記検知部が前記外部記憶装置との無線通信の接続状態を検知した場合、前記通信部によって本情報処理装置に通知される、本情報処理装置と前記通信部との通信接続情報に基いて、本情報処理装置と前記記憶装置との通信が接続されたことを前記表示部に表示する表示手段とをさらに有することを特徴とする請求項１０記載の情報処理装置。
【発明の詳細な説明】
【技術分野】
【０００１】
本発明は、無線通信機能を備えた記憶装置、該記憶装置を装着可能な情報処理装置および該記憶装置と無線通信可能な外部記憶装置に関する。
【背景技術】
【０００２】
近年、パーソナルコンピュータを初めとする情報処理装置に装着可能な、半導体型記憶装置であるフラッシュメモリカードに関して開発が進展している。このフラッシュメモリカードは、体積が小さい、消費電力が少ない、振動に強いといったメリットを有している。
【０００３】
また、メモリ機能のみならず、例えば無線通信機能といった特定の機能が装備されているフラッシュメモリカードも開発されている。
【０００４】
無線通信機能が装備されているフラッシュメモリカードを利用した発明として、無線通信方式の一つであるＢｌｕｅｔｏｏｔｈによる通信機能を搭載したＳＤカードを使用するＨＤＤの電源をオンした場合、Ｂｌｕｅｔｏｏｔｈによる通信機能を搭載したＳＤカードを使用するパソコンからＨＤＤがリムーバブルのデバイスとして認識される発明があった（特許文献１参照。）。
【特許文献１】特開２００３−９２７８４号公報（第４乃至５頁、第４図）
【発明の開示】
【発明が解決しようとする課題】
【０００５】
しかしながら、上述の特許文献１における発明では、例えば、パソコンからリムーバブルのデバイスとして認識されているＨＤＤを取り替えたい場合、パソコンがＨＤＤをリムーバブルのデバイスとして認識されないように、所定の操作を行わなければならない。
【０００６】
そこで、本発明は、複数の装置を通信制御する記憶装置、該記憶装置が装着される情報処理装置および該記憶装置と無線通信可能な外部記憶装置を提供することを目的とする。
【課題を解決するための手段】
【０００７】
上記目的を達成するために、請求項１に係る記憶装置の発明では、情報処理装置に着脱可能に装着されるとともに、前記情報処理装置に直接接続されていない外部記憶装置と無線通信可能な記憶装置において、外部記憶装置と無線通信を行う無線部と、情報処理装置と通信を行う通信部と、無線部を用いて行われる無線通信の接続切断状態を検知する検知部と、通信部は、検知部が外部記憶装置との無線通信の切断状態を検知した場合、情報処理装置と通信部との通信が切断されたことを前記情報処理装置に通知する手段とを具備することを特徴とする。
【０００８】
また、請求項７に係る外部記憶装置の発明では、情報処理装置に着脱可能に装着される記憶装置と無線通信可能な外部記憶装置において、記憶装置と無線通信を行う無線部と、無線部を用いて行われる無線通信の接続切断状態を検知する検知部と、検知部が記憶装置との無線通信の切断状態を検知した場合、記憶装置に無線通信切断情報を通知し、記憶装置との無線通信の接続状態を検知した場合、記憶装置に無線通信接続情報を通知する手段とを具備することを特徴とする。
【０００９】
また、請求項１０に係る情報処理装置の発明では、外部記憶装置と無線通信可能である記憶装置が着脱可能に装着される情報処理装置において、記憶装置は、外部記憶装置と無線通信を行う無線部と、情報処理装置と通信を行う通信部と、無線部を用いて行われる無線通信の接続切断状態を検知する検知部と、通信部は、検知部が外部記憶装置との無線通信の切断状態を検知した場合、本情報処理装置と通信部との通信が切断されたことを情報処理装置に通知する手段とを具備し、記憶装置への電源供給可能な電源部とを具備することを特徴とする。
【発明の効果】
【００１０】
本発明によれば、複数の装置を通信制御する記憶装置、該記憶装置が装着される情報処理装置および該記憶装置と無線通信可能な外部記憶装置を提供することが可能となる。
【発明を実施するための最良の形態】
【００１１】
図１を参照して、本発明に係るシステム構成の概要について説明する。
【００１２】
例えばノートブック型パーソナルコンピュータ１（以下、コンピュータと称す。）として実現される情報処理装置には、例えば半導体型記憶装置であるメモリカード２が着脱可能に装着される。後述にて説明するがメモリカード２は無線通信機能を有する。
【００１３】
また、コンピュータ１に直接装着されていない状態にて、磁気記憶装置を有するストレージ装置３は設置される。後述にて説明するがストレージ装置３は無線通信機能を有する。
【００１４】
メモリカード２とストレージ装置３とは無線通信を行い、例えばコンピュータ１から送信されるデータがメモリカード２を介してストレージ装置３に記憶され、また、ストレージ装置３に記憶されているデータがメモリカード２を介してコンピュータ１からリードされる。次に、コンピュータ１のシステム構成について説明する。
【００１５】
ホストハブ１０２には、ＣＰＵ１０１、メモリ１０４、グラフィックスコントローラ１０６およびＩ／Ｏハブ１１０が接続されている。ホストハブ１０２はＣＰＵ１０１のシステムバス１０３とＩ／Ｏハブ１１０との間を接続するブリッジデバイスである。ホストハブ１０２にはメモリ１０４へのアクセスを制御するメモリコントローラ（図示せず）が内蔵される。
【００１６】
ＣＰＵ１０１はコンピュータ１の動作を制御するために設けられるプロセッサである。ハードディスクドライブ（ＨＤＤ）１１２からメモリバス１０５を介してメモリ１０４にロードされる、オペレーティングシステム（ＯＳ）および各種アプリケーション／ユーティリティプログラムを実行する。
【００１７】
ホストハブ１０２にＡＧＰバス１０９を介して接続されるグラフィクスコントローラ１０６はコンピュータ１のディスプレイモニタとして使用されるＬＣＤ１０８を制御する。グラフィクスコントローラ１０６はビデオメモリ（ＶＲＡＭ）１０７を有しており、ＯＳ／アプリケーションプログラムによってビデオメモリ１０７に描画されたデータをＬＣＤ１０８に表示する。
【００１８】
ホストハブ１０２と例えばハブインターフェイスといった専用バスで接続されるＩ／Ｏハブ１１０は、ＰＣＩ（Peripheral Component Interconnect）バス１１３上の各デバイスおよびＬＰＣ（low pin count）バス１１６上の各デバイスを制御する。また、Ｉ／Ｏハブ１１０には、ＨＤＤ１１２を制御するためのＩＤＥ（Integrated Drive Electronics）コントローラが内蔵される。
【００１９】
ＬＰＣバス１１６上にはエンベデッドコントローラ／キーボードコントローラＩＣ（ＥＣ／ＫＢＣ）１１５が接続される。
【００２０】
ＥＣ／ＫＢＣ１１５は、電力管理のためのエンベデッドコントローラと、キーボード（ＫＢ）ユニット１１７を制御するためのキーボードコントローラとが集積された１チップマイクロコンピュータである。ＥＣ／ＫＢＣ１１５は、ユーザによるパワーボタンの操作に応じてコンピュータ１をパワーオン／パワーオフする機能を有している。
【００２１】
ＥＣ／ＫＢＣ１１５には、パワーサプライコントローラ（ＰＳＣ）１１８（第２の電源部）が接続されている。ＥＣ／ＫＢＣ１１５からの電力供給開始／終了の指示に従って、ＰＳＣ１１８はコンピュータ１の各モジュールに対する電力供給の制御を行う。
【００２２】
ＰＣＩバス１１３にはメモリカードコントローラ１１４が接続される。メモリカードコントローラ１１４にはメモリカード２が接続される。メモリカードコントローラ１１４はメモリカード２に対する電源供給制御、メモリカード２とのデータ送受信制御等を行う。
【００２３】
メモリカード２は無線通信機能を有しており、ストレージ装置３と無線通信を行う。ストレージ装置３はメモリカード２を介してコンピュータ１からのデータの読み取り及び書き込み命令を受信する。次に、メモリカード２とストレージ装置３とのシステム構成についてさらに詳細に説明する。
【００２４】
図２は、メモリカード２とストレージ装置３とのシステム構成について説明した図である。
【００２５】
メモリカード２はコンピュータ１に装着されている。以下、メモリカード２のシステム構成について説明する。
【００２６】
コンピュータ１内のメモリカードコントローラ１１４と通信可能なインタフェースコントローラ２０１は通信コントローラ２０４とメモリコントローラ２０２に接続される。インタフェースコントローラ２０１はメモリカードコントローラ１１４から出力されるデータを通信コントローラ２０４またはメモリコントローラ２０２へ送信する。また、インタフェースコントローラ２０１は通信コントローラ２０４またはメモリコントローラ２０２から出力されるデータをメモリカードコントローラ１１４へ送信する。
【００２７】
通信部を構成するメモリコントローラ２０２はインタフェースコントローラ２０１から出力されるデータをメモリ２０３へ送信する。メモリコントローラ２０２から出力されるデータはメモリ２０３に記憶される。また、メモリコントローラ２０２はメモリ２０３に記憶されているデータを読み出し、読み出されたデータをインタフェースコントローラ２０１へ送信する。
【００２８】
通信コントローラ２０４はインタフェースコントローラ２０１から出力されるデータを無線部２０５へ送信する。メモリカード２とストレージ装置３とが無線通信可能な状態である場合、無線部２０５はデータをストレージ装置３へ無線通信によって送信する。または、通信コントローラ２０４はストレージ装置３から無線通信によって無線部２０５へ送信されるデータをインタフェースコントローラ２０１へ送信する。
【００２９】
メモリカード２内に設けられ、通信部を構成する接続切断検知部２０６はメモリカード２とストレージ装置３との間で行われる無線通信の接続・切断状態を検知する。接続切断検知部２０６はメモリカードコントローラ１１４内の接続切断検知部１１４ａと通信可能である。接続切断検知部２０６は接続切断検知部１１４ａに、メモリカード２がコンピュータ１に接続または切断状態であることを通知する。
【００３０】
電源コントローラ２０８は電源部２０７を制御する。後述にて詳細に説明するが、電源コントローラ２０８はコンピュータ１内のＰＳＣ１１８からメモリカード２への電源供給の有無に応じて電源部２０７を制御する。電源部２０７はメモリカード２のシステムを構成する所定のモジュールに電源を供給する。次に、メモリカード２と無線通信可能であるストレージ装置３のシステム構成について説明する。
【００３１】
メモリカード２内の無線部２０５と無線通信を行う無線部３０１は通信コントローラ３０２に接続される。通信コントローラ３０２にはハードディスク（ＨＤＤ）コントローラ３０３と表示部３０５とが接続される。ＨＤＤコントローラ３０３にはＨＤＤ３０４が接続される。
【００３２】
通信コントローラ３０２は無線部３０１にて受信されるデータをＨＤＤコントローラ３０３へ出力する。ＨＤＤコントローラ３０３から出力されるデータはＨＤＤ３０４に記憶される。また、ＨＤＤコントローラ３０３はＨＤＤ３０４に記憶されているデータを読み出し、通信コントローラ３０２へ出力する。ＨＤＤコントローラ３０３はＨＤＤ３０４から読み出されたデータを通信コントローラ３０２へ送信する。
【００３３】
表示部３０５は通信コントローラ３０２を介してなされるデータの伝送状況を表示する。例えば、無線部３０１から通信コントローラ３０２およびＨＤＤコントローラ３０３を介してＨＤＤ３０４にデータが伝送される状況、またはＨＤＤコントローラ３０３から読み出されたデータがＨＤＤコントローラ３０３および通信コントローラ３０２を介して無線部３０１へ伝送される状況等を表示する。
【００３４】
表示部３０５として例えばＬＥＤやディスプレイパネル等が考えられる。例えばＬＥＤを点滅・点灯動作をさせることで表示させる、または。ディスプレイパネルに表示されるアイコン等を表示させることで、通信コントローラを介してなされるデータの伝送状況をユーザに通知する。
【００３５】
操作部３０６は、例えばメモリーカード２とストレージ３との無線通信を制御するために設けられる。ユーザによる操作部３０６の所定の操作に基いて、通信コントローラ３０２はメモリカード２との無線通信を接続・切断制御を行う。
【００３６】
ユーザによる操作部３０６の所定の操作に基いてメモリカード２とストレージ装置３との無線通信の切断制御を行った後、ユーザがメモリカード２と無線通信を行うストレージ装置３を取り替え、新たに設置されたストレージ装置３が有する操作部３０６を所定の操作をすることで、メモリカード２と新たに設置されたストレージ装置３との無線通信を開始させることが可能となる。次に、メモリカード２とストレージ装置３との間の無線通信が切断した場合におけるシステムの動作をフローチャートを用いて説明する。
【００３７】
図３は、メモリカード２とストレージ装置３との間の無線通信が切断した場合における本発明にかかわるシステムの動作を説明するフローチャートである。
【００３８】
メモリカード２とストレージ装置３との間の無線通信が接続している状態から切断した場合（ステップ  Ｓ１０１  Ｙｅｓ）、例えばストレージ装置３に設けれる操作部３０６を操作することによってメモリカード２とストレージ装置３との無線通信を切断した場合、メモリカード２内の通信コントローラ２０４は接続切断検知部２０６に、メモリカード２とストレージ装置３との無線通信が切断された旨を通知する（ステップ  Ｓ１０２）。
【００３９】
メモリカード２内の接続切断検知部２０６はメモリカードコントローラ１１４内の接続切断検知部１１４ａにコンピュータ１とメモリカード２との通信が切断された旨を通知する（ステップ  Ｓ１０３）。
【００４０】
接続切断検知部１１４ａはＥＣ／ＫＢＣ１１５に、コンピュータ１とメモリカード２との通信が切断された旨を通知する。ＥＣ／ＫＢＣ１１５はメモリカード２への電源供給を停止するようＰＳＣ１１８に通知する。ＰＳＣ１１８はメモリカード２への電源供給を停止する（ステップ  Ｓ１０４）。
【００４１】
ＰＳＣ１１８からメモリカード２への電源供給停止に基いて、電源コントローラ２０８はメモリカード２のシステムを構成するモジュールの中の所定のモジュールに電源を供給する旨を電源部２０７に通知する。この通知を受けた電源部２０７はメモリカード２内の所定のモジュールに電源供給を開始する（ステップ  １０５）。例えば、電源部２０７は通信コントローラ２０４、無線部２０５および接続切断検知部２０６に電源を供給する。
【００４２】
メモリカード２とストレージ装置３との間の無線通信が切断状態において、メモリカード２内の電源部２０７が通信コントローラ２０４、無線部２０５および接続切断検知部２０６とに電源を供給することで、メモリカード２とストレージ装置３との間の無線通信が接続状態になった際に、メモリカード２内の通信コントローラ２０４は接続切断検知部２０６および接続切断検知部１１４ａを介して、コンピュータ１とメモリカード２とが通信を開始した旨をコンピュータ１に通知することが可能となる。
【００４３】
一方、メモリカード２内の接続切断検知部２０６はメモリカードコントローラ１１４内の接続切断検知部１１４ａに通信が切断された旨を通知（ステップ  Ｓ１０３）した後、接続切断検知部１１４ａはメモリ１０４に展開されているオペレーティングシステム（ＯＳ）に、メモリカード２とコンピュータ１との間の通信が不可能状態となった旨を通知する（ステップ  Ｓ１０６）。すなわち、メモリカード２はコンピュータ１に物理的に装着されているものの、メモリカードコントローラ１１４とメモリカード２内のインタフェースコントローラ２０１とを介して、メモリカード２とコンピュータ１との間のデータ伝送が不可能状態になる。
【００４４】
その後、ＯＳはメモリカード２とコンピュータ１との間の通信が不可能状態になった旨をＬＣＤ１０８に表示する。例えば、ＬＣＤ１０８には「メモリカード２がコンピュータ１から取り外し可能となりました。」といった内容が表示される（ステップ  １０７）。
【００４５】
上述にて説明したとおり、メモリカード２とストレージ装置３との無線通信切断に基いて、メモリカード３がコンピュータ１に、メモリカード２とコンピュータ１との通信が切断された旨を通知することで、ホストであるコンピュータ１側からは、コンピュータ１とメモリカード２とが通信不可能な状態にあると認識されることが可能となる。また、メモリカード２が無線通信を行っていない間に、ストレージ装置を取り替えることが可能となる。次に、メモリカード２とストレージ装置３との間の無線通信が接続した場合におけるシステムの動作をフローチャートを用いて説明する。
【００４６】
図４は、メモリカード２とストレージ装置３との間の無線通信が接続した場合における本発明にかかわるシステムの動作を説明するフローチャートである。
【００４７】
メモリカード２とストレージ装置３との間の無線通信が切断している状態から接続した場合（ステップ  Ｓ２０１  Ｙｅｓ）、例えばストレージ装置３に設けれる操作部３０６を操作することによってメモリカード２とストレージ装置３との無線通信を接続した場合、メモリカード２内の通信コントローラ２０４は接続切断検知部２０６に、コンピュータ１とメモリカード２との通信が接続された旨を通知する（ステップ  Ｓ２０２）。
【００４８】
メモリカード２内の接続切断検知部２０６はメモリカードコントローラ１１４内の接続切断検知部１１４ａに通信が接続された旨を通知する（ステップ  Ｓ２０３）。
【００４９】
接続切断検知部１１４ａはＥＣ／ＫＢＣ１１５にコンピュータ１とメモリカード２との通信が接続された旨を通知する。ＥＣ／ＫＢＣ１１５はメモリカード２への電源供給を開始するようＰＳＣ１１８に通知する。ＰＳＣ１１８はメモリカード２への電源供給を開始する（ステップ  Ｓ２０４）。
【００５０】
ＰＳＣ１１８からメモリカード２への電源供給開始に基いて、電源コントローラ２０８はメモリカード２のシステムを構成するモジュールの中の所定のモジュールへの電源供給を停止する旨を電源部２０７に通知する。この通知を受けた電源部２０７はメモリカード２内の所定のモジュールへの電源供給を停止する（ステップ  ２０５）。例えば、電源部２０７は通信コントローラ２０４、無線部２０５および接続切断検知部２０６に対する電源供給を停止する。
【００５１】
メモリカード２とストレージ装置３との間の無線通信が接続状態において、ＰＳＣ１０８はメモリカード２に対して電源供給を行っているので、メモリカード２内の電源部２０７が通信コントローラ２０４、無線部２０５および接続切断検知部２０６とに対する電源供給を停止する。
【００５２】
一方、メモリカード２内の接続切断検知部２０６はメモリカードコントローラ１１４内の接続切断検知部１１４ａに通信が接続された旨を通知（ステップ  Ｓ２０３）した後、接続切断検知部１１４ａはメモリ１０４に展開されているオペレーティングシステム（ＯＳ）に、メモリカード２とコンピュータ１との間の通信が可能状態となった旨を通知する（ステップ  Ｓ２０６）。すなわち、メモリカードコントローラ１１４とメモリカード２内のインタフェースコントローラ２０１とを介して、メモリカード２とコンピュータ１との間のデータ伝送が不可能状態から可能状態になる。
【００５３】
その後、ＯＳはメモリカード２とコンピュータ１との間の通信が可能状態になった旨をＬＣＤ１０８に表示する。例えば、ＬＣＤ１０８には「メモリカード２がコンピュータ１に装着されました。」といった内容が表示される（ステップ  ２０７）。
【００５４】
上述にて説明したとおり、メモリカード２とストレージ装置３との無線通信接続に基いて、メモリカード３が装着されているコンピュータ１に、メモリカード２とコンピュータ１との通信が接続された旨を通知することで、ホストであるコンピュータ１側からは、コンピュータ１とメモリカード２とが通信可能な状態にあると認識されることが可能となる。また、例えば、メモリカード２がストレージ装置３と無線通信を行っていない状態において、所定のストレージ装置３を設置した後、該設置されたストレージ装置３に設けれる操作部３０６を操作することによって、メモリカード２とストレージ装置３との無線通信を開始させることが可能となる。
【００５５】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００５６】
【図１】本発明に係るシステム構成の概要を説明する図。
【図２】メモリカードとストレージ装置とのシステム構成について説明する図。
【図３】メモリカードとストレージ装置との間の無線通信が切断した場合における本発明にかかわるシステムの動作を説明するフローチャート。
【図４】メモリカードとストレージ装置との間の無線通信が接続した場合における本発明にかかわるシステムの動作を説明するフローチャート。
【符号の説明】
【００５７】
１…パーソナルコンピュータ、２…メモリカード、３…ストレージ装置、
１０１…ＣＰＵ、１０２…ホストハブ、１０４…メモリ、
１０６…グラフィックコントローラ、１０７…ＶＲＡＭ、１０８…ＬＣＤ、
１１０…Ｉ／Ｏハブ、１１２…ＨＤＤ、１１４…メモリカードコントローラ、
１１５…ＥＣ／ＫＢＣ、１１７…キーボード、１１８…ＰＳＣ、
【図１】
2005293284.tif 000003
【図２】
2005293284.tif 000004
【図３】
2005293284.tif 000005
【図４】
2005293284.tif 000006